(57)【要約】【課題】送信元の画像送信装置側の簡易な構成のみでユーザが希望する送信先であるかどうか判断することができる画像送信装置を実現する。【解決手段】送信先の識別情報および／または付加情報を指定する指定入力を受け付ける操作入力部２８と、送信する画像を入力する画像入力部２４と、交換機４０を介した送信先からの発呼に応答する受信処理部１８と、送信先から発呼を受けた場合に送信される、送信先の識別情報を認識する通知確認部２０と、送信先からの発呼に対して交換機４０によって付加された付加情報を認識する通知確認部２０と、指定入力と識別情報および付加情報とを比較して発呼を受けた送信先がユーザの希望送信先であるかを照合するユーザ照合部２２と、照合した結果、発呼した送信先がユーザの希望する送信先である場合に入力された画像を送信先に送信する本文送信部１４とを備えている。【選択図】  図１
2008263322.tif 000002
【特許請求の範囲】
【請求項１】
送信先の識別情報および／または付加情報を指定する指定入力を受け付ける送信先入力手段と、
前記送信先に送信する画像を入力する画像入力手段と、
通信中継装置を介した送信先からの発呼に対して応答する応答手段と、
前記送信先からの発呼を受けた場合に送信先から送信される、前記送信先の識別情報を認識する識別情報認識手段と、
送信先からの発呼に対して前記通信中継装置によって前記識別情報に対応付けられて付加された付加情報を認識する付加情報認識手段と、
前記指定入力と、前記識別情報および前記付加情報とを比較することで、発呼した送信先がユーザの希望する送信先であるかどうかを照合する照合手段と、
前記照合手段による照合の結果、発呼した送信先がユーザの希望する送信先である場合に、前記画像入力手段から入力された画像を送信先に送信する送信手段とを備えることを特徴とする画像送信装置。
【請求項２】
前記識別情報は電話番号であり、前記付加情報は送信先の名称であることを特徴とする請求項１に記載の画像送信装置。
【請求項３】
前記識別情報および／または前記付加情報を出力する出力手段をさらに備えることを特徴とする請求項１または２に記載の画像送信装置。
【請求項４】
前記送信手段は、送信先からの発呼を受ける前に、該送信先に対して、発呼を促す案内情報を送信することを特徴とする請求項１から３のいずれか１項に記載の画像送信装置。
【請求項５】
前記送信手段は、前記照合手段による照合結果に対応する案内情報を送信することを特徴とする請求項１から４のいずれか１項に記載の画像送信装置。
【請求項６】
前記照合手段による照合に失敗した場合、発呼した送信先がユーザの希望する送信先か否かをユーザに対して確認する確認手段をさらに備え、
前記送信手段は、前記確認手段によって確認した結果に基づいて、発呼した送信先がユーザの希望する送信先であるかどうか判断することを特徴とする請求項１から５のいずれか１項に記載の画像送信装置。
【請求項７】
前記出力手段は、前記応答手段が送信先からの発呼を受けた場合、前記識別情報および／または前記付加情報を出力し、
前記送信手段は、前記照合手段による照合結果に加えて、ユーザによる発呼した送信先がユーザの希望する送信先であるかどうかを示す確認操作入力が入力された場合、前記画像入力手段から入力された画像を送信先に送信することを特徴とする請求項３から６のいずれか１項に記載の画像送信装置。
【請求項８】
請求項１から７のいずれか１項に記載の画像送信装置と、
送信先からの発呼に対して付加情報を付加して送信元へ送信し、送信元から送信先への画像送信を中継する通信中継装置とを備える画像送受信システムであって、
前記通信中継装置は、
送信先からの発呼を受け付け、送信元への発呼行う通信中継手段と、
送信先の識別情報および付加情報を対応付けて記憶する付加情報記憶手段と、
送信先からの発呼に基づいて前記付加情報記憶手段を検索し、対応する付加情報を送信元へ通知する付加情報通知手段とを備えることを特徴とする画像送受信システム。
【請求項９】
送信先の識別情報および／または付加情報を指定する指定入力を受け付ける送信先入力ステップと、
前記送信先に送信する画像を入力する画像入力ステップと、
通信中継装置を介した送信先からの発呼に対して応答する応答ステップと、
前記送信先からの発呼を受けた場合に送信先から送信される、前記送信先の識別情報を認識する識別情報認識ステップと、
送信先からの発呼に対して前記通信中継装置によって前記識別情報に対応付けられて付加された付加情報を認識する付加情報認識ステップと、
前記指定入力と、前記識別情報および前記付加情報とを比較することで、発呼した送信先がユーザの希望する送信先であるかどうかを照合する照合ステップと、
前記照合手段による照合の結果、発呼した送信先がユーザの希望する送信先である場合に、前記画像入力手段から入力された画像を送信先に送信する送信ステップとを備えることを特徴とする画像送信方法。
【請求項１０】
請求項１から７に記載の画像送信装置を動作させるための画像送信プログラムであって、コンピュータを上記の各手段として機能させるための画像送信プログラム。
【請求項１１】
請求項１０に記載のプログラムが記録されたコンピュータ読み取り可能な記録媒体。
【発明の詳細な説明】
【技術分野】
【０００１】
本発明は、セキュリティを向上した画像送信機、通信中継機、画像送受信システム、画像送信プログラム、および記憶媒体に関するものである。
【０００２】
具体的には、ファクシミリ通信を用いて文書を送信する際に、セキュリティを向上させた画像送信機などに関する。
【背景技術】
【０００３】
従来、技術資料や機密文書などのセキュリティが要求される文書のやりとりにファクシミリが広く使われている。ファクシミリは、郵便やメールなどの通信方法に比べ、途中の通信経路で事故にあったり、盗み見られたりする可能性が低く、送信先の相手に直接、文書を届けることができるため、多用されている。
【０００４】
しかしながら、通信途中でのセキュリティは、上述のようなその他の通信方法に比べ向上するものの、送信先のファクシミリ装置より先の工程ではセキュリティが確保されていないという問題があった。これは、ファクシミリ装置から用紙にプリントアウトされたり、メモリ内に保存されたりしている文書を、受取人以外でも自由に閲覧できることに起因している。
【０００５】
また、ファクシミリ装置による通信によって通信経路上のセキュリティを確保していても、ファクシミリ装置を操作するユーザのミスなどにより送信先や電話番号を誤って入力することで、機密文書を無関係の人に送信してしまうという問題があった。
【０００６】
これらの問題を解決するために、特許文献１では、ファクシミリを送信する際、送信側は、受信側から識別コードが返信されるまでデータの送信を待機し、受信側から受信した識別コードおよび送信先として登録してある情報を比較し、正しい送信先であることを確認した後にデータの送信を開始することで誤送信を防止している。
【０００７】
図６は、上述の誤送信を防止するデータ通信の処理手順について説明する概念図である。上記のデータ通信システムは、送信機１１０、交換機１４０、および、受信機１６０を備えることで、送信機１１０から受信機１６０に対する誤送信を防止したファクシミリ送信を行っている。ここで、送信機１１０の電話番号は「０３−１１１１−１１１１」であり、受信機１６０の電話番号は「０３−２２２２−２２２２」であるものとする。
【０００８】
まず、送信機１１０から受信機１６０に対して呼出が行われると、交換機１４０は、呼出に用いられた電話番号を用いて、送信機１１０および受信機１６０間の回線を接続し、呼出を中継する。
【０００９】
交換機１４０で中継された呼出は、受信機１６０で受話器を外すことによってオフフック状態になる。送信機１１０は、受信機１６０のオフフックを確認した後に、受信機１６０に対して受信機１６０固有の識別コードを返送するよう、識別コードの送信要求を送る。受信機１６０は、送信機１１０からの識別コードの送信要求に従って送信機１１０に識別コードを送信する。
【００１０】
送信機１１０は、受信機１６０からの識別コードを受信し、（１）の電話番号と対応付けられている識別コード（２）「ＸＸＸＸ」と、受信機１６０から送信されてきた識別コードとを比較する。電話番号に対応付けられている識別コードと、送信されてきた識別コードとが一致した場合、送信機１１０は、受信機１６０が送信したい対象であることを確認し、本文メッセージのファクシミリ送信を行っている。
【特許文献１】特開２０００−１０７０２号公報（２０００年６月３０日公開）
【特許文献２】特開２００２−１６７７４号公報（２００２年１月１８日公開）
【発明の開示】
【発明が解決しようとする課題】
【００１１】
しかしながら、特許文献１の構成では、送信先のファクシミリ装置が識別コードを送信する機能を備えていなければならないという問題を生じる。
【００１２】
また、識別コードや送信先の電話番号などの識別情報は、送信先のファクシミリ自身が生成して送信元に返信しているので、送信先の設定により識別情報を変更したり、偽ったりすることが可能であるという問題を生じる。
【００１３】
また、特許文献２の構成では、上記の問題を解決するために、ナンバーディスプレイ（登録商標）を用いて電話番号を取得し、受信時のハンドシェイキングによって相手先のファクシミリのＣＳＩ、ＲＴＩの情報を取得する送信方法が開示されているが、電話番号については保証されているものの、ＣＳＩ、ＲＴＩの情報から得られる通信相手先の情報などについては、変更したり、偽ったりすることが可能であるという問題を生じる。
【００１４】
本発明は、上記の問題点に鑑みてなされたものであり、その目的は、簡易な構成で送信先の識別情報の信頼性を確保し、誤った送信先への画像の送信を未然に防ぐことができる画像送信装置、画像送受信システム、画像送受信プログラム、および記憶媒体を実現することにある。
【課題を解決するための手段】
【００１５】
上記の問題を解決するために、本発明に係る画像送信装置は、送信先の識別情報および／または付加情報を指定する指定入力を受け付ける送信先入力手段と、前記送信先に送信する画像を入力する画像入力手段と、通信中継装置を介した送信先からの発呼に対して応答する応答手段と、前記送信先からの発呼を受けた場合に送信先から送信される、前記送信先の識別情報を認識する識別情報認識手段と、送信先からの発呼に対して前記通信中継装置によって前記識別情報に対応付けられて付加された付加情報を認識する付加情報認識手段と、前記指定入力と、前記識別情報および前記付加情報とを比較することで、発呼した送信先がユーザの希望する送信先であるかどうかを照合する照合手段と、前記照合手段による照合の結果、発呼した送信先がユーザの希望する送信先である場合に、前記画像入力手段から入力された画像を送信先に送信する送信手段とを備えることを特徴としている。
【００１６】
上記の構成によれば、送信先からの発呼に対して中継装置が付加情報を付加し、送信先からの識別情報および付加情報が画像送信装置に伝えられ、送信先入力手段から入力された送信先の識別情報および／または付加情報と比較することによって、発呼元を照合することができるので、送信先の画像受信装置に特別な構成を必要とせず、送信元の画像送信装置側の簡易な構成のみで、画像送信装置のユーザが希望する送信先であるかどうか、中継装置によって付加された付加情報に基づいて判断することができるという効果を奏する。
【００１７】
前記識別情報は電話番号であり、前記付加情報は送信先の名称であることが好ましい。
【００１８】
上記の画像送信装置では、前記識別情報および／または前記付加情報を出力する出力手段をさらに備えることが好ましい。
【００１９】
上記の構成によれば、送信先の着信情報や付加情報が出力手段、具体例をあげると、たとえば、音声、画像、振動、点字、およびその他の出力デバイスに出力されるので、ユーザは送信先を確認してから送信処理を行うことができるという効果を奏する。
【００２０】
上記の画像送信装置では、前記送信手段は、送信先からの発呼を受ける前に、該送信先に対して、発呼を促す案内情報を送信することが好ましい。
【００２１】
上記の構成によれば、送信手段が発呼を促す案内情報を送信先に送信するので、送信先は送信元が確認のための発呼を求めていることに気が付きやすくなるため、送信先が発呼を行うまでに要する時間を短縮させることができるという効果を奏する。
【００２２】
上記の画像送信装置では、前記送信手段は、前記照合手段による照合結果に対応する案内情報を送信することが好ましい。
【００２３】
上記の構成によれば、照合に成功した場合には、これから本文を送信するという案内データを送信したり、照合に失敗した場合には、送信先の指定が誤っていたことを謝罪する案内データを送信したりできる。これによって、照合が成功したことを素早く送信先に伝達したり、送信先が発呼を行ったものの、送信元から何の返信もない状態で放置されたりすることを防ぐことができるという効果を奏する。
【００２４】
上記の画像送信装置では、前記照合手段による照合に失敗した場合、発呼した送信先がユーザの希望する送信先か否かをユーザに対して確認する確認手段をさらに備え、前記送信手段は、前記確認手段によって確認した結果に基づいて、発呼した送信先がユーザの希望する送信先であるかどうか判断することが好ましい。
【００２５】
上記の構成によれば、照合が失敗した場合にユーザに確認を求め、ユーザの判断に基づいてユーザが希望する送信先であるか否かを判断することができるので、照合には失敗したが、実はユーザが希望する送信先であった場合などに、正しく判断を行い本文の送信を行うことができるという効果を奏する。
【００２６】
上記の画像送信装置では、前記出力手段は、前記応答手段が送信先からの発呼を受けた場合、前記識別情報および／または前記付加情報を出力し、前記送信手段は、前記照合手段による照合結果に加えてユーザによる確認操作入力に基づいて前記画像入力手段から入力された画像を送信先に送信することが好ましい。
【００２７】
上記の構成によれば、照合手段による照合では十分に判断することができないような場合、例えば、具体例をあげれば、送信先の登録名や識別情報などが、世帯主や法人などの姓または名称が異なるなどの理由で照合することができない場合でも、ユーザからの確認操作に基づいて送信することができるという効果を奏する。
【００２８】
上記の画像送信装置と、送信先からの発呼に対して付加情報を付加して送信元へ送信し、送信元から送信先への画像送信を中継する通信中継装置とを備えることで画像送受信システムを構成することができる。
【００２９】
なお、上記の通信中継装置は、送信先からの発呼を受け付け、送信元への発呼を行う通信中継手段と、送信先の識別情報および付加情報を対応づけて記憶する付加情報記憶手段と、送信先からの発呼に基づいて前記付加情報記憶手段を検索し、対応する付加情報を送信元へ通知する付加情報通知手段とを備えていることが好ましい。
【００３０】
上記の構成によれば、上述の画像送信装置と同様の効果を奏することができる。
【００３１】
上記の問題を解決するために、本発明に係る画像送信方法は、送信先を指定する指定入力を受け付ける送信先入力ステップと、
前記送信先に送信する画像を入力する画像入力ステップと、
通信中継装置を介した送信先からの発呼に対して応答する応答ステップと、前記送信先からの発呼を受けた場合に送信される、前記送信先の識別情報を認識する識別情報認識ステップと、送信先からの発呼に対して、前記通信中継装置によって付加された付加情報を認識する付加情報認識ステップと、前記送信先の指定入力と、前記着信情報および前記付加情報とを比較することで発呼を受けた送信先の照合を行う照合ステップと、前記照合手段の照合結果に基づいて前記画像入力手段から入力された画像を送信先に送信する送信ステップとを備えることを特徴としている。
【００３２】
上記の方法によれば、送信先からの発呼に対して中継装置が付加情報を付加し、送信先からの識別情報および付加情報が送信元に伝えられ、送信先入力ステップにおいて入力された送信先と比較することによって、発呼元を照合することができるので、送信元のユーザが希望する送信先であるかどうか、中継装置によって付加された付加情報に基づいて判断することができるという効果を奏する。
【００３３】
なお、上記画像送信方法を、コンピュータの制御によりコンピュータ上で実行させることができる。さらに、上記画像送信プログラムをコンピュータ読み取り可能な記録媒体に記憶させることにより、任意のコンピュータ上で実行させることができる。
【発明の効果】
【００３４】
本発明に係る画像送信装置は、以上のように、送信先の識別情報を認識する識別情報認識手段と、送信先からの発呼に対して通信中継装置によって付加された、識別情報に対応付けられた付加情報を認識する付加情報認識手段を備えているので、送信先の画像受信装置に特別な構成を必要とせず、送信元の画像送信装置側の簡易な構成のみで、識別情報および付加情報に基づいて送信先がユーザの希望する送信先として適性であるかどうか判断できるという効果を奏する。
【発明を実施するための最良の形態】
【００３５】
本発明の一実施形態について図１から図５に基づいて説明すると以下の通りである。
【００３６】
図１は、本実施形態の送信機１０、交換機４０、および受信機６０を備えた画像送受信システムの各部の構成を示した機能ブロック図である。
【００３７】
なお、本実施形態では、送信機（画像送信装置）１０および受信機（送信先）６０として電話回線を用いてファックス送信および受信を行うファクシミリ装置、交換機（中継装置）４０として電話回線を用いた通話の発着信交換処理を行う電話交換機を例として説明するが、これに限るものではない。電話回線の替わりにＬＡＮ（Local Area Network）などのネットワーク回線を用い、電話交換機の替わりにルータやローカルサーバを用いて画像送受信システムを構成してもよい。
【００３８】
送信機１０は、案内送信部（送信手段）１２、本文送信部（送信手段）１４、送信処理部（送信手段）１６、受信処理部（応答手段）１８、通知確認部（付加情報認識手段）２０、ユーザ照合部（照合手段）２２、画像入力部（画像入力手段）２４、制御部２６、操作入力部（送信先入力手段）２８、および、表示部（出力手段）３０を備えている。交換機４０は、発呼取次部（通信中継手段）４２、着呼取次部（通信中継手段）４４、付加情報照合部４６、付加情報記録部（付加情報記憶手段）４８、および、付加情報通知部（付加情報通知手段）５０を備えている。受信機（送信先）６０は、受信処理部６２、送信処理部６４、制御部６６、操作入力部６８、および、画像出力部７０を備えている。各部の機能について、詳細を説明する。
【００３９】
まず、送信機１０が備える各部の機能について説明する。案内送信部１２は、受信機６０に対して案内を送付する。本実施形態において、案内とは、後述する確認呼出を受信機６０側のユーザに対して促すための「貴方に送るＦＡＸがあるので、確認のため、折り返し電話してください。」といったメッセージであり、画像や音声として送信するものとして以下の説明を行う。
【００４０】
本文送信部１４は、後述する確認呼出を受信機６０から受けた後に、受信機６０に対して本文の送付を行う。本実施形態において、本文とは、送信側のユーザが受信側に送信を希望する画像データを指し、誤配信を避ける必要が高い、セキュリティが要求されるデータを想定している。送信処理部１６は、案内送信部１２および本文送信部１４から出力された各データを、交換機４０を介して受信機６０に送信する処理を行う。受信処理部１８は、交換機４０を介して受信機６０からの確認呼出を受信する処理を行う。
【００４１】
通知確認部２０は、受信処理部１８が受けた確認呼出に含まれる、受信機６０の識別情報と、確認呼出に対して交換機４０で付加された付加情報とを分離して、ユーザ照合部２２に送る。ユーザ照合部２２は、分離された識別情報および付加情報に基づいてユーザの照合を行う。照合結果は制御部２６に入力され、照合結果が正しい場合には、本文の送信処理を行う。照合結果が正しくない場合には、誤連絡であった案内文を送付する。
【００４２】
上記の識別情報および付加情報は、着呼して回線の接続を確立する前、すなわち、通話料金が発生するまえに通知される。また、識別情報および付加情報は、通知確認部２０で確認され、送信機１０の表示部３０に着呼と共に数字および文字で表示される。
【００４３】
なお、本実施形態では、受信機６０の識別情報として、交換機４０において受信機６０に対して割り当てられた電話番号を、受信機６０の付加情報として、交換機４０内で電話番号と対応づけて保存してある名称情報を用いる。具体的には、電信電話株式会社によるネーム・ディスプレイ（登録商標）サービスなどを用いるものとするが、これに限るものではなく、他の同様のサービスを用いてもよい。
【００４４】
また、識別情報および付加情報の出力手段として文字や画像を表示する表示パネルを例に説明するが、これに限るものではない。音声や振動などの動作として出力してもよいし、点字などの触覚によってユーザに情報を伝える出力デバイスであってもよい。識別情報および付加情報の内容をユーザに伝えることができれば、どのようなデバイスでもよい。
【００４５】
画像入力部２４は、光学スキャナなどの光学読み取り式の画像入力デバイスで、本文として送信する画像の入力を行う。入力された画像データは、制御部２６によって本文送信部１４に出力される。制御部２６は、送信機１０の各部の制御およびデータのやり取りを制御する。
【００４６】
操作入力部２８は、ユーザからの入力操作を受け付け、制御部２６に操作内容および決定内容を出力する。操作入力部２８は、各機能が割り当てられた複数のボタンで構成されていてもよいし、タッチパネルで構成して表示部３０の機能を兼ね備えていてもよい。また、外部の装置を接続し、該装置の入力インタフェースを用いてもよい。
【００４７】
表示部３０は、送信機１０によるユーザへの各種情報の伝達を行う。具体的には、表示部３０は、送信相手先を決定するためのアドレス帳や、入力した電話番号や、かかって来た電話の相手先の電話番号および氏名や、ユーザ照合部２２におけるユーザ照合の結果などが表示される。
【００４８】
次に、交換機４０の各部の機能について説明する。発呼取次部４２は、送信機１０からの発呼を受け付け、ダイヤル信号を電話番号に変換し、発呼先の電話番号への受信機６０への接続処理を取り次ぐ。着呼取次部４４は逆に、受信機６０から送信機１０への通話を取り次ぐ。なお、受信機６０から送信機１０への発信取次が行われた場合、送信機１０のユーザが交換機４０の管理会社に対して契約しているネーム・ディスプレイ（登録商標）サービスなどの付加情報通知サービスによって、送信機１０の表示部３０に電話番号および交換機４０の付加情報記録部４８に登録されている氏名が表示される。
【００４９】
付加情報照合部４６は、着呼した受信機６０の電話番号に基づいて付加情報記録部４８を検索することで、対応する付加情報、ここでは氏名を照合する。照合した氏名は、付加情報通知部５０によって送信機１０に電話番号と共に通知される。
【００５０】
次に、受信機６０の各部の機能について説明する。受信機６０は、一般的なファクシミリ装置としての機能を備え、特別な機能を必要としないものとして説明する。
【００５１】
受信処理部６２は、交換機４０を介した送信機１０からの発呼を受け付ける。具体的には、コーリングトーン（Calling Tone：CNG）を受け、コールドトーン（Called Tone：CED）を送信機１０へ返信し、ファクシミリの機能や電話番号などを表す、ＮＦＳ（Non-Standard Facilities）、ＣＳＩ（Called Subscriber Identification）、および、ＤＩＳ（Digital Identification Signal）などの信号を受信し、ファクシミリの電話番号や送信条件を表すＴＳＩ（Transmitting Subscriber Identification）およびＤＣＳ（Digital Command Signal）を返信し、通信のテスト信号であるＴＣＦ（Training Check Field）、正常に送信動作が行われたことを示すＣＦＲ（Confirmation to Receive）信号、画像データの送信が完了したことを示すＥＯＰ（End Of Procedure）信号などが送受信される。一般的なファクシミリにおける通信方法については、後述する。
【００５２】
送信処理部６４は、送信機１０から案内メッセージを受け取った受信機６０のユーザが、折り返しの電話を送信機１０に対して発呼する処理を行う。なお、この発呼処理は通常の通話発呼処理と同様に行われるが、交換機４０にて付加情報を追加されることで送信機１０には電話番号および付加情報である氏名が通知される。
【００５３】
制御部６６は、受信機６０の各部の制御およびデータの入出力を制御する。操作入力部６８は、ユーザからの入力操作を受け付け、制御部６６に操作内容および決定内容を出力する。操作入力部６８は、各機能が割り当てられた複数のボタンで構成されていてもよいし、タッチパネルで構成してもよい。また、外部の装置を接続し、該装置の入力インタフェースを用いてもよい。
【００５４】
画像出力部７０は、受信処理部６２によって受信した、送信機１０から送信されたファクシミリ画像などの出力を行う。画像出力部７０は、感熱紙やインクジェット用紙にファクシミリ画像を印刷する構成であってもよいし、メモリや表示パネル上にファクシミリ画像を出力してもよい。
【００５５】
次に、図２を参照して、本実施形態の送信機１０のハードウェア構成について、説明する。図２は、送信機１０のハードウェア構成の概略を示すブロック図である。送信機１０は、画像入力部２４、操作入力部２８、表示部３０、システム制御部３１、画像処理部３２、音声制御部３３、メモリ部３４、印字部３５、表示制御部３６、通信制御部３７、符号化復号化部３８、および、回線制御部３９を備えている。なお、図１と同様の機能を持つ機能ブロックについては、図１と同じ符号を振り説明を省略する。
【００５６】
システム制御部３１は、送信機１０の各部を制御し、案内送信処理、本文送信処理、通知確認処理、画像取り込み処理、ユーザ照合処理、およびその他の送信処理の制御を行う。画像処理部３２は、画像入力部２４から入力された画像にＡ／Ｄ変換を行い、画像データとして本文送信部１４に入力する処理を行う。音声制御部３３は、受信機６０との通話処理や、特に音声メッセージによって折り返し通話による確認を求める場合の音声出力処理などを行う。表示制御部３６は、表示部３０に対する表示制御を行う。通信制御部３７は、ハンドシェイキングやファクシミリ通信用プロトコルといった電話回線を介した通信における各種通信制御処理を行う。
【００５７】
上記各制御部は、制御部２６の機能を細分化したもので、それぞれ別のＩＣチップとして機能が実現されていてもよいし、ＲＯＭ（Read Only Memory）などにプログラムの形で記憶され、システム制御部３１によって呼び出されることで各機能を実行してもよい。
【００５８】
符号化復号化部３８は、ファクシミリ画像や音声通話のアナログデータを、電話回線を通じて送受信するのに適した形式に符号化し、また、逆の手順で復号化する。回線制御部３９は、主にハードウェアレベルでの通信接続や切断などの回線制御を行う。
【００５９】
次に、ファクシミリ通信における一般的なファクシミリにおける画像送受信手順について、説明する。ファクシミリにおける送信処理は、一般に以下の１）〜１２）のような手順で行なわれる。
【００６０】
１）送信元のファクシミリ装置から送信先の電話番号がダイヤルされる。
【００６１】
２）送信先に発呼され、コーリングトーン（Calling Tone：CNG）が送信される。
【００６２】
３）送信先は、ファクシミリ通信が行なわれることを確認し、コールドトーン（Called Tone：CED）が送信元に返信される。
【００６３】
４）送信元および送信先の通信が確立され、送信先から送信元へファクシミリの機能や電話番号などを表す、ＮＦＳ（Non-Standard Facilities）、ＣＳＩ（Called Subscriber Identification）、および、ＤＩＳ（Digital Identification Signal）などの信号が送信される。
【００６４】
５）送信元から、ファクシミリの電話番号や送信条件を表すＴＳＩ（Transmitting Subscriber Identification）およびＤＣＳ（Digital Command Signal）が送信される。
【００６５】
６）送信元から通信のテスト信号であるＴＣＦ（Training Check Field）信号が送信される。
【００６６】
７）送信先から、正常に送信動作が行われたことを示すＣＦＲ（Confirmation to Receive）信号が送信元に返信される。
【００６７】
８）送信元のメモリまたは画像読取装置から画像データが読み出される。
【００６８】
９）読み出された画像データの符号化および変調を行い、送信先へ送信される。
【００６９】
１０）画像データの送信が完了したことを示すＥＯＰ（End Of Procedure）信号が送信される。
【００７０】
１１）送信先から、正しく画像データを受信したことを示すＭＣＦ（Message Confirmation）信号が返信される。
【００７１】
１２）回線を切断するＤＣＮ（Disconnect）信号が送信先へ送信される。
【００７２】
本実施形態では、まず、上記の１）から１２）の手順で送信機１０から受信機６０に案内メッセージが送信される。次に、上記の１）にあたる手順において、受信機６０から送信機１０の電話番号がダイヤルされ、受信機６０の電話番号および付加情報が送信機１０に通知される。その後、電話番号および付加情報を用いて、受信機６０の認証が行われた後に、最後に、上記の１）から１２）の手順を送信機１０から受信機６０に対して行われ、本文メッセージのデータが送信される。
【００７３】
次に、図３を参照して、送信機１０および受信機６０間の具体的な通信手順について説明を行う。図３は、本実施形態における本文メッセージ送信手順の概略を示した概念図である。本実施形態の画像送信システムでは、送信機１０、交換機４０、および、受信機６０を備えることで、簡易な構成で送信先の識別情報の信頼性を確保し、誤った送信先への画像の送信を予防している。
【００７４】
ここで、送信機１０の電話番号は「０３−１１１１−１１１１」であり、受信機６０の電話番号は「０３−２２２２−２２２２」であるものとする。また、受信機６０のユーザの氏名は「山田  太郎」であり、この氏名が電話番号と対応付けられて交換機４０内の参照テーブルに保存されているものとする。
【００７５】
この参照テーブルに保存されているデータには、電話帳に記載するデータとして登録されている世帯主の情報を用いてもよいし、交換機４０の管理者が独自に作成し、受信機６０のユーザによって登録や変更を行ったものであってもよい。電話帳に用いられる世帯主の情報を用いる場合には、新たなデータを登録する手間が省け、また、交換機４０上で用いられるデータの正当性についても、より信頼できるものとなる。
【００７６】
まず、送信機１０は、電話番号（１）「０３−２２２２−２２２２」に対して呼出を行う。送信の際、送信機１０のユーザは、（２）「山田  太郎」という名前を操作入力部２８から入力することで、（１）「０３−２２２２−２２２２」という電話番号がアドレス帳選択され、発信を行う。または、（２）の名前および（１）の番号を共に入力し、送信先が正しいかどうかの確認を、受信機６０に対して発信することで行う。
【００７７】
交換機４０は、送信機１０からの呼出を中継し、電話番号（１）を用いて送信機１０および受信機６０間の回線を接続する。回線が接続されると、送信機１０は、受信機６０に対して「貴方に送るＦＡＸがあるので確認のために折り返し電話してください。」という、受信機６０のユーザに呼出を要求する案内メッセージを送信し、回線を切断する。なお、案内メッセージには送信元である送信機１０のユーザ情報や電話番号、送信する内容の概略などを付加してもよい。
【００７８】
受信機６０は案内メッセージを受信し、印刷し、メモリ内に保存し、あるいは、音声メッセージとして録音し、受信機６０のユーザによって視聴されるまで待機する。その後、案内メッセージがユーザによって視聴されると、受信機６０のユーザは、案内メッセージの内容や着信履歴などを参照して、送信機１０の電話番号「０３−１１１１−１１１１」の電話番号に対して、折り返し発信を行う。
【００７９】
なお、この発信は、送信機１０が受話器を取って通話が成立する必要はない。交換機４０によって通知される電話番号および付加情報は、呼出状態であっても送信機１０側に通知され、送信機１０上の表示部３０上に表示することができるので、例えば、いわゆるワンギリのような、１回コールを行って、すぐに呼出を停止するような着信であっても、ユーザの照合を行うことができる。この構成の場合、受信機６０のユーザに通話料の負担を強いることがなくなるというさらなる効果を奏する。
【００８０】
その後、受信機６０のユーザは受話器を置いて、通常の着信待ち状態であるオンフック状態で送信機１０からの本文メッセージの送信を待つ。交換機４０は、受信機６０からの折り返し発信に対して、受信機６０の電話番号を参照して、交換機４０内の参照テーブルに保存してある付加情報を検索し、ここでは発信者名の「山田  太郎」を呼出信号に付加して送信機１０に送信する。
【００８１】
送信機１０は、交換機４０からの呼出信号に応答し、通信前情報通知を受け取る。具体的には、発信を行った受信機６０の電話番号（３）「０３−２２２２−２２２２」および交換機４０によって付加された発信者名の（４）「山田  太郎」を受け取る。送信機１０のユーザ照合部２２は、（２）で入力した送信先の氏名と、（４）で受信した発信者名を照合する。
【００８２】
なお、電話帳に登録されている世帯主名と、送信機１０のユーザが（２）で入力した氏名がことなる場合も考えられるので、例えば、「山田  花子」宛ての電話番号に発呼した場合、「山田  太郎」と付加情報が送られるといった、姓が同じで名前だけ異なる場合などには照合成功とみなしたり、ユーザに確認を求め適切な世帯主の氏名である場合には、希望の送付先であることを指示する操作入力を行うことで処理を進めたりしてもよい。
【００８３】
もし、（１）で入力または選択した電話番号が目的の受信機６０のユーザである「山田  太郎」宛ての電話番号ではなく、例えば、「佐藤  次郎」宛ての電話番号であった場合、交換機４０によって、「佐藤  次郎」が付加情報として通知される。そのため、照合の結果、送信機１０は誤った送信先に送信を行ったという判断を行うことができ、受信機６０のユーザに誤りであったことを通知することができる。
【００８４】
照合の結果、正しいと判断された場合には、送信機１０は、受信機６０に対して通常のファクシミリ送信処理を行い、画像入力部２４から取り込んだ本文メッセージを受信機６０に対して送信を行う。受信機６０は、着信に対応してオンフック状態となり、本文メッセージを受け取る。以上の手順で、ユーザの照合を行い、本文メッセージの送付処理を完了する。
【００８５】
次に、図４を参照して、本実施形態の送信機１０の概観および表示内容について説明する。図４は、送信機１０の概観および表示内容を示す概念図である。送信機１０はファクシミリ送受信機としての機能を持つため、受話器、ダイヤルボタン、表示部などを備えている。表示部３０には、送信先表示領域３０ａ、着信相手表示領域３０ｂ、および、照合結果表示領域３０ｃが上から順に縦に並べられている。
【００８６】
送信先表示領域３０ａは、図３の案内メッセージ送付の工程において、送信先として送信機１０のユーザが入力した送信相手の電話番号（１）および氏名（２）が表示される。着信相手表示領域３０ｂには、図３の確認用折り返し着信の工程において、交換機４０によって通知される電話番号（３）および発信者氏名（４）が表示されている。送信機１０のユーザ照合部２２は、（２）および（４）を用いて発信者の照合行い、照合結果を照合結果表示領域３０ｃに表示する。図４では、照合が成功し、本文メッセージの送信を実行し、完了したことを送信機１０のユーザに知らせるメッセージを表示している。
【００８７】
次に、図５および図３を参照して、ユーザの照合を行い、本文メッセージを送信する一連の処理の流れについて説明する。図５は、本文メッセージ送信処理の流れを示すフロー図である。
【００８８】
Ｓ１０１において、送信機１０のユーザは、図３の電話番号（１）「０３−２２２２−２２２２」の入力を行う。Ｓ１０２において、送信機１０のユーザは、受信機６０の受信者の氏名（２）を、操作入力部２８を用いて入力または選択し、送信処理の実行を指示する。Ｓ１０３において、送信機１０の送信処理部１６は、電話回線および交換機４０を介して受信機６０に接続する。
【００８９】
Ｓ１０４において、送信機１０の案内送信部１２は、接続された電話回線を介して受信機６０に案内メッセージを送信する。Ｓ１０５において、送信機１０のユーザは、受信機６０から確認のための呼出が行われる前に、送信する本文メッセージのデータを画像入力部２４で読み取ってデータとして入力する。その後、Ｓ１０６において、送信機１０は、受信機６０からの確認のための着信を待つ。
【００９０】
Ｓ１０７において、送信機１０の受信処理部１８は、受信機６０からの着信があったかどうか判断を行う。着信があった場合（Ｓ１０７でＹＥＳ）、処理はＳ１０８へ進む。着信がない場合（Ｓ１０７でＮＯ）、処理はＳ１０６に戻り着信待ちの待機状態を継続する。
【００９１】
Ｓ１０８において、送信機１０の通知確認部は、交換機４０から発信元である受信機６０の電話番号（３）および発信者氏名（４）を分離して制御部２６に送信し、表示部３０に表示させる。Ｓ１０９において、送信機１０のユーザ照合部２２は、（２）の氏名および（４）の発信者氏名を照合する。照合結果が一致した場合（Ｓ１０９でＹＥＳ）、処理はＳ１１０へ進む。一致しないと判断した場合（Ｓ１０９でＮＯ）、処理はＳ１１１へ進む。
【００９２】
Ｓ１１０において、送信機１０の本文送信部１４は、受信機６０に対して本文メッセージの送信を行い、本文メッセージ送信処理を終了する。なお、ユーザ照合部において失敗と判断された場合でも、例えば、姓が同じで名前だけ異なる場合などには照合成功とみなしたり、ユーザに確認を求め適切な世帯主の氏名である場合には、希望の送付先であることを指示する操作入力を行うことで処理を進めたりしてもよい。
【００９３】
ユーザに確認を求める場合や、照合に失敗したがユーザの希望する送信先であると判断する場合には、照合に成功した旨を伝える案内メッセージを送信する構成としてもよい。また、ユーザが希望する送信先でない場合には、目的の送信先でなかったことを謝罪する内容の案内メッセージを送信する構成としてもよい。
【００９４】
Ｓ１１１において、送信機１０の送信処理部１６は、受信機６０に対してエラーメッセージ、具体例をあげれば、あて先が間違っていたことを謝罪する内容のメッセージなどを送信して、本文メッセージ送信処理を終了する。
【００９５】
以上のように、本実施形態の送信機１０は、送信先の識別情報および／または付加情報を指定する指定入力を受け付ける操作入力部２８と、送信先に送信する画像を入力する画像入力部２４と、交換機４０を介した送信先からの発呼に対して応答する受信処理部１８と、送信先からの発呼を受けた場合に送信される、送信先からの発呼を受けた場合に送信先から送信される、送信先の識別情報を認識する通知確認部２０と、送信先からの発呼に対して交換機４０によって識別情報に対応づけられて付加された付加情報を認識する通知確認部２０と、指定入力と、識別情報および付加情報とを比較することで発呼を受けた送信先がユーザの希望する送信先であるかどうかを照合するユーザ照合部２２と、ユーザ照合部２２の照合結果、発呼した送信先がユーザの希望する送信先である場合に、画像入力部２４から入力された画像を送信先に送信する本文送信部１４とを備えている。
【００９６】
上記の構成によれば、送信先からの発呼に対して交換機４０が付加情報を付加し、送信先からの識別情報および付加情報が送信機１０に伝えられ、操作入力部２８から入力された送信先と比較することによって、発呼元を照合することができるので、送信先の受信機６０に特別な構成を必要とせず、送信元の送信機１０側の簡易な構成のみで、送信機１０のユーザが希望する送信先であるかどうか、交換機４０によって付加された付加情報に基づいて判断することができる。
【００９７】
前記識別情報は電話番号であり、前記付加情報は送信先の名称である。
【００９８】
上記の送信機１０では、識別情報および／または付加情報を出力する表示部３０をさらに備えている。
【００９９】
上記の構成によれば、送信先の着信情報や付加情報が表示部３０に出力されるので、ユーザは送信先を確認してから送信処理を行うことができる。
【０１００】
上記の送信機１０では、案内送信部１２は、送信先からの発呼を受ける前に、該送信先に対して、発呼を促す案内情報を送信している。
【０１０１】
上記の構成によれば、案内送信部１２が発呼を促す案内情報を送信先に送信するので、送信先は送信元が確認のための発呼を求めていることに気が付きやすくなるため、送信先が発呼を行うまでに要する時間を短縮させることができる。
【０１０２】
上記の送信機１０では、案内送信部１２は、ユーザ照合部２２による照合に失敗した場合、発呼した送信先がユーザの希望する送信先か否かを確認し、確認した結果に対応する案内情報を送信している。
【０１０３】
上記の構成によれば、照合の結果、発呼した送信先がユーザの希望する送信先でなかった場合、案内送信部１２は送信先に、送信先の指定が誤っていたことを伝達する案内情報を送信するので、送信先が発呼を行ったものの、送信元から何の返信もない状態で放置されることを防ぐことができる。
【０１０４】
上記の送信機１０では、表示部３０は、前記受信手段が送信先からの発呼を受けた場合、識別情報および／または付加情報を表示し、本文送信部１４は、ユーザ照合部２２による照合結果に加えてユーザによる確認操作入力に基づいて前記画像入力部２４から入力された画像を送信先に送信している。
【０１０５】
上記の構成によれば、ユーザ照合部２２による照合では十分に判断することができないような場合、例えば、具体例をあげれば、送信先の登録名や識別情報などが、世帯主や法人などの姓または名称が異なるなどの理由で照合することができない場合でも、ユーザからの確認操作に基づいて送信することができる。
【０１０６】
上記の送信機１０と、送信先からの発呼に対して付加情報を付加して送信元へ送信し、送信元から送信先への画像送信を中継する交換機４０とを備えることで画像送受信システムを構成している。
【０１０７】
なお、上記の交換機４０は、送信先からの発呼を受け付け、送信元への発呼を行う着呼取次部４４と、送信先の識別情報および付加情報を対応づけて記憶する付加情報記憶部４８と、送信先からの発呼に基づいて付加情報記憶部４８を検索し、対応する付加情報を送信元へ通知する付加情報通知部５０とを備えている。上記の構成によれば、上述の送信機１０に対してユーザが希望する送信先であるかどうか、交換機４０によって付加された付加情報に基づいて判断する機能を提供することができる。
【０１０８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０９】
最後に、送信機１０の各ブロック、特に通知確認部２０およびユーザ照合部２２は、ハードウェアロジックによって構成してもよいし、次のようにＣＰＵを用いてソフトウェアによって実現してもよい。
【０１１０】
すなわち、送信機１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである送信機１０の制御プログラムのプログラムコード（実行形式プログラム、中間コードプログラム、ソースプログラム）をコンピュータで読み取り可能に記録した記録媒体を、上記送信機１０に供給し、そのコンピュータ（またはＣＰＵやＭＰＵ）が記録媒体に記録されているプログラムコードを読み出し実行することによっても、達成可能である。
【０１１１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１２】
また、送信機１０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１３】
本発明によれば、送信先の装置に特別な構成を必要とせず、識別情報および付加情報に基づいて送信先がユーザの希望する送信先として適性であるかどうか判断できるので、重要な内容を含む画像データの通信を送信する場合に、希望の送信先であるかどうか照合することができるファクシミリ装置、およびその他の画像送信装置として好適に使用することができる。
【図面の簡単な説明】
【０１１４】
【図１】本発明の実施形態を示すものであり、画像送受信システムを構成する送信機、交換機、および受信機の要部構成を示すブロック図である。
【図２】上記送信機のハードウェア構成の概略を示すブロック図である。
【図３】上記画像送受信システムにおける通信の流れを示す概念図である。
【図４】上記送信機の概観および表示部の表示内容を示す概念図である。
【図５】上記送信機において本文メッセージを送信する処理の流れを示すフロー図である。
【図６】従来技術を示すものであり、画像送受信システムにおける通信の流れを示す概念図である。
【符号の説明】
【０１１５】
１      画像送受信システム
１０    送信機（画像送信装置）
１２    案内送信部（送信手段）
１４    本文送信部（送信手段）
１６    送信処理部（送信手段）
１８    受信処理部（応答手段）
２０    通知確認部（識別情報認識手段、付加情報認識手段）
２２    ユーザ照合部（照合手段）
２４    画像入力部（画像入力手段）
２６    制御部
２８    操作入力部（送信先入力手段）
３０    表示部（表示手段）
３０ａ  送信先表示領域
３０ｂ  着信相手表示領域
３０ｃ  照合結果表示領域
３１    システム制御部
３２    画像処理部
３３    音声制御部
３４    メモリ部
３５    印字部
３６    表示制御部
３７    通信制御部
３８    符号化復号化部
３９    回線制御部
４０    交換機（通信中継装置）
４２    発呼取次部（通信中継手段）
４４    着呼取次部（通信中継手段）
４６    付加情報照合部
４８    付加情報記録部（付加情報記憶手段）
５０    付加情報通知部（付加情報通知手段）
６０    受信機（送信先）
６２    受信処理部
６４    送信処理部
６６    制御部
６８    操作入力部
７０    画像出力部
【図１】
2008263322.tif 000003
【図２】
2008263322.tif 000004
【図３】
2008263322.tif 000005
【図４】
2008263322.tif 000006
【図５】
2008263322.tif 000007
【図６】
2008263322.tif 000008